(57)【要約】【課題】耐食性の飼料置き面を簡易且つ高品質に形成する。【解決手段】下地上に飼料置き面１Ａを形成する飼料置き面形成パネル１であって、飼料置き面１Ａが型枠の底面によって形成されるように、型枠内に流し込まれたレジンコンクリートＲｃを硬化させて形成したパネル本体１０と、パネル本体１０の裏面側に埋め込むことで突設されるリブ部１１とを備え、リブ部１１は、下地の材料が充填される複数のセルを区画するリブ壁１１Ａを、パネル本体１０の剛性を維持するように形成している。【選択図】図１
2011193742.tif 000002
【特許請求の範囲】
【請求項１】
下地上に飼料置き面を形成する飼料置き面形成パネルであって、
前記飼料置き面が型枠の底面によって形成されるように、型枠内に流し込まれたレジンコンクリートを硬化させて形成したパネル本体と、該パネル本体の裏面側に埋め込むことで突設されるリブ部とを備え、
前記リブ部は、前記下地の材料が充填される複数のセルを区画するリブ壁を、前記パネル本体の剛性を維持するように形成していることを特徴とする飼料置き面形成パネル。
【請求項２】
前記リブ壁が湾曲面によって形成されていることを特徴とする請求項１記載の飼料置き面形成パネル。
【請求項３】
前記セルの平面視形状が円形又は多角形であることを特徴とする請求項１記載の飼料置き面形成パネル。
【請求項４】
前記リブ壁は、屈曲又は屈折可能な材料に前記レジンコンクリートの樹脂を含浸させて形成することを特徴とする請求項１〜３のいずれかに記載された飼料置き面形成パネル。
【請求項５】
請求項１〜４のいずれかに記載された飼料置き面形成パネルのセル内に下地のコンクリート材料を充填した状態で、当該下地上に前記リブ部を下にして前記飼料置き面形成パネルを敷設したことを特徴とする飼料置き面構造。
【請求項６】
請求項１〜４のいずれかに記載された飼料置き面形成パネルを用い、前記リブ部のセル内に下地のコンクリート材料を充填する工程と、
下地のコンクリート層を形成する工程と、
前記下地のコンクリート層上に前記リブ部を下にして前記飼料置き面形成パネルを敷設する工程とを有することを特徴とする飼料置き面の形成方法。
【発明の詳細な説明】
【技術分野】
【０００１】
本発明は、牛舎の飼槽、サイロの内面などの飼料置き面を形成するための飼料置き面形成パネル、飼料置き面構造、飼料置き面の形成方法に関するものである。
【背景技術】
【０００２】
フリーストール式，スタンチョン式などの牛舎では、飼槽と呼ばれる餌場が床面上に形成される。牛舎の床面はコンクリート打ちが一般的であるが、飼槽の飼料置き面（飼料が置かれる面）は、発酵した飼料が置かれることによるコンクリートの腐蝕を避けるため、レジンコンクリートによる表層の施工が行われている。また、牛舎の飼槽に限らず、サイロの内面などでも同様に発酵した飼料に接することによるコンクリートの腐蝕を避けるため、レジンコンクリートによる表層の施工が行われることがある。
【０００３】
このレジンコンクリートによる表層の施工は、コンクリートの床面の施工範囲に下地処理（バーナによる水分蒸発、プライマーの浸透を良くするためのキズ付けなどの処理）を施し、下地上にプライマー及び下地樹脂を塗布し、その上にレジンコンクリートを撒いて表面を均し、硬化したレジンコンクリート上に上塗り樹脂仕上げを行うといった非常に手間のかかる工程を要しているのが現状である。
【０００４】
一方、牛舎の飼槽には、下記特許文献１に記載されるように、表面及び裏面をＦＲＰ樹脂により形成し、中央にモルタルを充填したサンドイッチ構造の飼槽板を用い、床面上にモルタルを流し込み、このモルタルが硬化する前にその上に飼槽板を配することが提案されている。
【先行技術文献】
【特許文献】
【０００５】
【特許文献１】実開昭６２−１１１３６３号公報
【発明の概要】
【発明が解決しようとする課題】
【０００６】
前述した特許文献１に記載された飼槽板は、床面上に強固に固定することができないので、給餌中や清掃作業中に飼槽板がずれやすい問題がある。また、飼料を載せる表面をＦＲＰで形成しているので、ヤスリのようになっている牛の舌で表面が削ぎ取られると経年的な使用に伴って内部の強化繊維が剥がれてしまい、これを牛が体内に取り込むことで牛の健康を害することが懸念される。
【０００７】
このような問題に対処するために、前述したレジンコンクリートによる表層の施工が行われている。しかしながら、この施工では、前述したように複雑な工程を要することから、適正な施工が行われるか否かの工程管理が難しい問題があり、更に、天候や気候によって品質を良好に維持することが難しい問題がある。
【０００８】
例えば、レジンコンクリートの主材樹脂は熱硬化性のものが多いので、直射日光が当たると過剰に熱が加わりクラックや変形が生じやすく、これらが剥離の原因にもなり易い。また、雨天時の作業では水分混入による硬化不良が生じやすく、寒冷地などでは低温時に施工すると硬化が遅れて下地からの水分による硬化不良によって剥離が生じやすくなる問題もある。すなわち、レジンコンクリートによる表層の施工は、人為的な作業管理を適正に行うことは当然ながら、天候や気候による影響を考慮して、熟練した作業者が適正に作業を行うことが、高い品質を確保する上で不可欠である。
【０００９】
本発明は、このような問題に対処することを課題の一例とするものである。すなわち、複雑な施工を要することなく、牛舎やサイロなどにおいて耐食性の高い飼料置き面を形成すること、簡単な施工を可能にすることで、だれでも簡単に高品質の飼料置き面を形成することができること、施工時の天候や気候の影響を受けることなく高品質の飼料置き面を形成することができること、下地に対して強固に固定された飼料置き面を形成することができること、牛舎の飼槽に適用する場合には、牛の健康を害することなく経年的な使用に対して高い耐久性を維持することができること、などが本発明の目的である。
【課題を解決するための手段】
【００１０】
このような目的を達成するために、本発明は、以下の構成を具備するものである。
一つには、下地上に飼料置き面を形成する飼料置き面形成パネルであって、前記飼料置き面が型枠の底面によって形成されるように、型枠内に流し込まれたレジンコンクリートを硬化させて形成したパネル本体と、該パネル本体の裏面側に埋め込むことで突設されるリブ部とを備え、前記リブ部は、前記下地の材料が充填される複数のセルを区画するリブ壁を、前記パネル本体の剛性を維持するように形成していることを特徴とする。
【００１１】
また一つには、前述した特徴に加えて、前記リブ壁が湾曲面によって形成されていることを特徴とする。前記セルの平面視形状が円形又は多角形であることを特徴とする。前記リブ壁は、屈曲又は屈折可能な材料に前記レジンコンクリートの樹脂を含浸させて形成することを特徴とする。
【００１２】
また、前述した飼料置き面形成パネルを用いた飼料置き面構造であって、前記飼料置き面形成パネルのセル内に下地のコンクリート材料を充填した状態で、当該下地上に前記リブ部を下にして前記飼料置き面形成パネルを敷設したことを特徴とする。
【００１３】
また、前述した飼料置き面形成パネルを用いた飼料置き面形成方法であって、前記飼料置き面形成パネルを用い、前記リブ部のセル内に下地のコンクリート材料を充填する工程と、下地のコンクリート層を形成する工程と、前記下地のコンクリート層上に前記リブ部を下にして前記飼料置き面形成パネルを敷設する工程とを有することを特徴とする。
【００１４】
なお、本発明における飼料置き面とは、飼槽の表面だけでなく、サイロの内面など、飼料が接触する面全てを指している。
【発明の効果】
【００１５】
前述した特徴を有する飼料置き面形成パネルを用いることで、牛舎の飼槽やサイロの内面に、発酵した飼料による腐蝕に耐え得る飼料置き面を簡易に形成することができる。現場での施工は、予め形成した飼料置き面形成パネルを下地のコンクリート層上に敷設するだけで良く、簡易な作業で施工が完了する。飼料置き面の品質は工場でのパネル形成時に確保できるので、現場での人為的な作業を厳密に管理する必要がなく、また天候や気候に左右されることなく、高品質な飼料置き面を形成することができる。
【００１６】
飼料置き面形成パネルは、裏面側にリブ部を備えるので、リブ部に形成される複数のセル内に下地材料（コンクリート）を充填し、充填した下地材料と下地を一体化させることで下地に対して強固に飼料置き面形成パネルを固定することができる。複数のセル内に充填される下地材料は、硬化前に下地上に敷設しても良いし、硬化後に下地上に敷設しても良い。
【図面の簡単な説明】
【００１７】
【図１】本発明の実施形態に係る飼料置き面形成パネルを示した説明図である（同図（ａ）が背面図、同図（ｂ）が側面図）。
【図２】本発明の実施形態に係る飼料置き面形成パネルを示した説明図（図１のＡ部拡大図）である。
【図３】本発明の他の実施形態に係る飼料置き面形成パネルを示した説明図（背面図）である。
【図４】本発明の実施形態に係る飼料置き面形成パネルの形成方法を示した説明図である。
【図５】本発明の実施形態に係る飼料置き面形成パネルを用いた飼料置き面の形成方法及び飼料置き面構造を示した説明図である。
【図６】本発明の他の実施形態に係る飼料置き面形成パネルを示した説明図である。
【図７】本発明の他の実施形態に係る飼料置き面形成パネルの形成方法を示した説明図である。
【発明を実施するための形態】
【００１８】
以下、図面に基づいて本発明の実施形態を説明する。図１〜図３は、本発明の実施形態に係る飼料置き面形成パネルを示した説明図である（図１（ａ）が背面図、図１（ｂ）が側面図、図２は図１のＡ部拡大図、図３は他の実施形態に係る飼料置き面形成パネルを示した説明図（背面図））。
【００１９】
本発明の実施形態に係る飼料置き面形成パネル１は、パネル本体１０とリブ部１１とを備えている。パネル本体１０は、後述するように型枠内に流し込まれたレジンコンクリートＲｃを硬化させて形成する。パネル本体１０の表面が飼料置き面１Ａになり、パネル本体１０の背面側にリブ部１１が突設される。
【００２０】
リブ部１１は、一端側がパネル本体１０の裏面側に埋め込まれることで突設され、内部に下地の材料（コンクリート）が充填される複数のセル１１Ｃを区画するリブ壁１１Ａを備えている。リブ壁１１Ａによって形成されるセル１１Ｃの形態はパネル本体１０の剛性が維持されるように形成される。図１の例では、リブ壁１１Ａが湾曲面によって形成され、ロール状のセル１１Ｃが形成されている。
【００２１】
レジンコンクリートＲｃは、合成樹脂（レジン）Ｒを用いて砂などの骨材Ｃを結合したものであり、普通のコンクリートに比べて耐久性及び耐摩耗性に富む性質を有している。合成樹脂Ｒとしては、ポリエステル系、エポキシ系、ビニルエステル系などの熱硬化性樹脂が用いられ、骨材Ｃとしては、桂砂、砂利、タルク粉、セラミック粉などが単独又は混合されて用いられる。
【００２２】
リブ部１１のリブ壁１１Ａは、屈曲又は屈折可能な材料にレジンコンクリートＲｃの樹脂Ｒを含浸させて形成する。リブ壁１１Ａとしては、段ボールのような樹脂を含浸する紙材などを薄板状にして形成することができる。屈曲又は屈折自在な材料をリブ壁１１Ａとすることで、任意の形状のセル１１Ｃを簡易に形成することができ、樹脂を含浸させることで、パネル本体１０と一体化した後に含浸した樹脂が硬化して所望の強度を有するリブ壁１１Ａが得られる。
【００２３】
図３は、リブ部の他の形態例を示している。セル１１Ｃの形態は、リブ壁１１Ａによってパネル本体１０が湾曲しないように補強できるものであればよい。図３（ａ）の例は、リブ壁１１Ａのセル１１Ｃの平面形状が六角形になっており、リブ部１１が蜂の巣状のハニカム構造になっている。図３（ｂ）の例は、リブ壁１１Ａのセル１１Ｃの平面形状が四角形になっている。これに限らず、セル１１Ｃの平面視形状は円形又はその他の多角形であってもよい。
【００２４】
図４は、本発明の実施形態に係る飼料置き面形成パネルの形成方法を示した説明図である。先ず、同図（ａ）に示すように、パネル本体１０を形成するレジンコンクリートＲｃを型枠２０に流し込む。この際、型枠２０の底面２０Ａがパネル本体１０における飼料置き面１Ａになる。次に、同図（ｂ）に示すように、レジンコンクリートＲｃが未硬化の状態でリブ壁１１Ａの端部をレジンコンクリートＲｃに埋め込む。同図（ｃ）に示すように、レジンコンクリートＲｃにリブ壁１１Ａを埋め込んだ状態を維持することで、レジンコンクリートＲｃの樹脂がリブ壁１１Ａに含浸する。そして、樹脂の硬化によってパネル本体１０が形成され、更にパネル本体１０と一体化した所望の強度を有するリブ壁１１Ａが形成される。その後、同図（ｄ）に示すように、パネル本体１０を型枠２０から抜いて、本発明の実施形態に係る飼料置き面形成パネル１を得る。
【００２５】
図５は、本発明の実施形態に係る飼料置き面形成パネルを用いた飼料置き面の形成方法及び飼料置き面構造を示した説明図である。飼料置き面の形成方法は、第１の工程として、図４に示したような形成方法で予め形成された飼料置き面形成パネル１を牛舎やサイロなどの施工現場に搬送し、施工現場の下地Ｂを形成するコンクリートＭ（下地材料）を飼料置き面形成パネル１におけるリブ部１１のセル１１Ｃ内に充填する（同図（ａ）参照）。第２の工程として、下地Ｂとなるコンクリート層を形成する（同図（ｂ）参照）。そして、第３の工程として、下地Ｂのコンクリート層上にリブ部１１を下にして飼料置き面形成パネル１を敷設する。
【００２６】
このように形成される飼料置き面構造は、図５（ｃ）に示すように、飼料置き面形成パネル１のセル１１Ｃ内に下地Ｂのコンクリートを充填した状態で、下地Ｂ上にリブ部１１を下にして飼料置き面形成パネル１を敷設した構造になる。下地Ｂのコンクリートが硬化すると、セル１１Ｃ内に充填されたコンクリートと下地のコンクリートが一体化して、下地Ｂ上に強固に飼料置き面形成パネル１が固定される。
【００２７】
前述したように形成される飼料置き面形成パネル１は、予め工場で形成することで、均質なものを高品質に形成することができる。また、型枠２０にレジンコンクリートを流し込み、リブ部１１の端部を埋め込むという簡単な形成方法であるから、安価且つ高い生産性で高品質の飼料置き面形成パネル１を形成することができる。
【００２８】
また、現場での施工は、基本的には、予め形成された飼料置き面形成パネル１を下地Ｂのコンクリート層上に敷設するだけでよいから、格別な工程管理は必要なく、熟練した作業者による施工も必要ない。また、現場での樹脂の硬化不良を考慮する必要がないので、天候や気候に左右されることなく均質な飼料置き面を形成することが可能になる。
【００２９】
更には、飼料置き面形成パネル１はセル１１Ｃが形成されたリブ部１１を有することで、パネル本体１０の湾曲変形を抑止することができ、平坦な飼料置き面１Ａを形成することができる。また、リブ部１１のセル１１Ｃ内に充填されたコンクリートと下地Ｂのコンクリートが一体化することで、下地Ｂに対してパネル本体１０が剥離することを防止することができる。リブ部１１は、紙等の柔軟な材料で形成して、これにレジンコンクリートＲｃ樹脂Ｒを含浸させて所望の強度を付与するので、セル１１Ｃを形成するリブ壁１１Ａの構造を簡易に得ることができると共に、パネル本体１０のレジンコンクリートＲｃにリブ壁１１Ａの端部を埋め込むだけで簡単に強固なリブ部１１を形成することができる。
【００３０】
また、従来技術のようなＦＲＰパネルでは、ＦＲＰの強化繊維が剥がれて牛の体内に取り込まれる虞があるが、本発明の飼料置き面１Ａを形成するレジンコンクリートには強化繊維が含まれないので、従来技術と比べて牛の健康を維持する面でも有効である。
【００３１】
図６及び図７は、本発明の他の実施形態を示した説明図である（共通する部位は同一符号を付して重複説明を省略する）。この実施形態における飼料置き面形成パネル１は、その側部がレジンコンクリートＲｃで被われたパネル本体１０とパネル本体１０の枠内に形成されるリブ部１１（リブ壁１１Ａ）を備えている。そして、リブ壁１１Ａが形成するセル１１Ｃ内にはコンクリート材料が充填され、このコンクリート材料は固化した状態になっている。この実施形態では、セル１１Ｃ内に充填するコンクリート材料の重さで飼料置き面形成パネル１を下地上に安定化させるものであり、十分な重量を得るためにリブ壁１１Ａの高さＨを大きめに確保している。
【００３２】
図７は、図６に示した実施形態に係る飼料置き面形成パネル１を用いた飼料置き面の形成方法及び飼料置き面構造を示した説明図である。同図（ａ）に示した飼料置き面形成パネル１には、予めセル１１Ｃ内にコンクリート材料が充填され固化した状態になっている。この飼料置き面形成パネル１を同図（ｂ）に示すように下地Ｂ上に敷設することで、飼料置き面１Ａを形成する飼料置き面構造を形成している。これによっても、セル１１Ｃに充填するコンクリート材料の量を適宜設定することで、十分に安定化した飼料置き面１Ａを形成することが可能である。
【００３３】
このように本発明の実施形態に係る飼料置き面形成パネル１を用いた飼料置き面構造によると、発酵した飼料に対する耐食性を有する飼料置き面を形成するに際して、従来技術と比較して、現場での施工性、品質の維持、牛の健康面などにおいて格段に優れた効果を得ることができる。
【符号の説明】
【００３４】
１：飼料置き面形成パネル，
１Ａ：飼料置き面，
１０：パネル本体，
１１：リブ部，
１１Ａ：リブ壁，
１１Ｃ：セル，
２０：型枠，
２０Ａ：底面，
Ｂ：下地，
Ｒc：レジンコンクリート，
Ｒ：レジン，
Ｃ：骨材
【図１】
2011193742.tif 000003
【図２】
2011193742.tif 000004
【図３】
2011193742.tif 000005
【図４】
2011193742.tif 000006
【図５】
2011193742.tif 000007
【図６】
2011193742.tif 000008
【図７】
2011193742.tif 000009